(57)【要約】【課題】洗浄消毒工程終了後、内視鏡管路内から排出された固体状態の汚物を確実かつ容易に除去することができる構成を具備する内視鏡洗浄消毒具を提供する。【解決手段】嵌入部材１と、一方の開口１ｉと、他方の開口１ｔと、内視鏡から流れ出た液体または気体を通過させるとともに所定径以上の固体状態の汚物Ｂを捕捉するフィルタ２と、内視鏡から流れ出た液体または気体の流圧により内視鏡から離脱することを防止するため洗浄消毒槽に固定される固定具３とが設けられている。【選択図】図１
2015054212.tif 000002
【特許請求の範囲】
【請求項１】
内視鏡洗浄消毒装置の洗浄消毒槽に載置された前記内視鏡の挿入部が嵌入される嵌入部材と、
前記嵌入部材に設けられた、前記内視鏡を導入するための一方の開口と、
前記嵌入部材に設けられた、前記一方の開口に連通している他方の開口と、
前記一方の開口と前記他方の開口とをつなぐ連通路を塞ぐように設けられ、前記内視鏡から流れ出た液体または気体を通過させるとともに所定径以上の固体状態の汚物を捕捉するフィルタと、
前記嵌入部材に設けられ、前記内視鏡から流れ出た液体または気体の流圧により内視鏡から離脱することを防止するため前記洗浄消毒槽に固定される固定具と、
が設けられていることを特徴とする内視鏡洗浄具。
【請求項２】
前記フィルタは、前記嵌入部材に対して着脱自在であることを特徴とする請求項１に記載の内視鏡洗浄具。
【請求項３】
前記フィルタは、さらに汚物を切断する切断部を有することを特徴とする請求項１または２に記載の内視鏡洗浄消具。
【請求項４】
前記嵌入部材は、前記一方の開口に前記挿入部の先端側の嵌入口が構成され前記他方の開口に前記フィルタが設けられた、前記挿入部の先端側に装着されるキャップ状部材であることを特徴とする請求項１〜３のいずれか１項に記載の内視鏡洗浄消毒具。
【請求項５】
前記キャップ状部材は、前記洗浄消毒槽に対して前記固定具を介して着脱自在であることを特徴とする請求項４に記載の内視鏡洗浄消毒具。
【請求項６】
洗浄消毒槽と、
前記洗浄消毒槽に載置された内視鏡の挿入部が嵌入される嵌入部材と、
前記内視鏡から流れ出た液体または気体を通過させるとともに所定径以上の固体状態の汚物を捕捉するフィルタと、
を具備し、
前記嵌入部材は、前記洗浄消毒槽に設けられた流体排出口内に位置するとともに前記洗浄消毒槽内の流体を外部に排出するまたは再度前記洗浄消毒槽及び前記内視鏡が具備する内視鏡管路に流入させる管路に連通する凹部に設けられた、一方の開口に前記挿入部の前記先端側の嵌入口が構成され、他方の開口に前記フィルタが設けられた収容具であることを特徴とする内視鏡洗浄消毒装置。
【請求項７】
前記収容具は、前記凹部に対して着脱自在であることを特徴とする請求項６に記載の内視鏡洗浄消毒装置。
【請求項８】
前記収容具内に、該収容具内に嵌入された前記挿入部の先端側を保持するとともに、前記汚物の前記洗浄消毒槽への逆流を防ぐ逆流防止部材が設けられていることを特徴とする請求項６または７に記載の内視鏡洗浄消毒装置。
【請求項９】
前記逆流防止部材は、膨張収縮自在なバルーンであり、
前記バルーンは、前記内視鏡管路内の洗浄の際、膨張することを特徴とする請求項８に記載の内視鏡洗浄消毒装置。
【発明の詳細な説明】
【技術分野】
【０００１】
本発明は、内視鏡洗浄消毒具、内視鏡洗浄消毒装置に関する。
【背景技術】
【０００２】
内視鏡が具備する内視鏡管路は、被検体内の検査または処置後、内視鏡管路内に血液等の汚物が残留する場合がある。そこで、内視鏡の外表面のみならず、内視鏡管路内も洗浄消毒できる内視鏡洗浄消毒装置の構成が周知である。
【０００３】
内視鏡管路内を洗浄消毒する際は、内視鏡の操作部に設けられた内視鏡管路の一端の開口から内視鏡管路内に流体を供給する。内視鏡管路内に供給された流体は、内視鏡の挿入部の先端面に形成された内視鏡管路の他端の開口から洗浄消毒槽に排出される。このことにより内視鏡管路内は洗浄消毒される。
【０００４】
尚、洗浄消毒槽に排出された流体は、洗浄消毒槽に設けられた排出口を介して内視鏡洗浄消毒槽外へと排出されるか、洗浄消毒槽に設けられた循環口を介して再度、洗浄消毒槽または内視鏡管路内へと供給される。
【０００５】
また、特許文献１には、洗浄液中の汚物や雑菌を内視鏡洗浄消毒装置外へと直接排出してしまうことを防ぐため、洗浄消毒槽の排出口に連通するとともに洗浄消毒槽内の洗浄液を内視鏡洗浄消毒装置外へと排出する排液路の中途位置に、洗浄液中の汚物や雑菌を捕捉するフィルタユニットが設けられた構成が開示されている。
【先行技術文献】
【特許文献】
【０００６】
【特許文献１】特開２００７−８９６３８号公報
【発明の概要】
【発明が解決しようとする課題】
【０００７】
ところで、被検体内の検査または処置後、内視鏡管路内を洗浄消毒せずに長時間放置すると、内視鏡管路内に長時間残留した血液等の汚物が凝固して大きな塊、例えば数ｍｍ〜数ｃｍの大きさの粘性を有する紐状の汚物となり、該紐状の汚物が内視鏡管路内壁に固着してしまう。
【０００８】
内視鏡管路内壁に固着した紐状の汚物は、内視鏡洗浄消毒装置を用いた内視鏡管路内への流体の供給により内視鏡管路内から除去され挿入部の先端面の開口から洗浄消毒槽に排出される。
【０００９】
ここで、特許文献１に開示された構成を用いれば、排液路の中途位置に設けられたフィルタユニットにて洗浄消毒槽の排出口から排出された紐状の汚物を捕捉することができる。
【００１０】
しかしながら、内視鏡管路から洗浄消毒槽に排出された紐状の汚物は、排出口から排出される前に洗浄消毒槽内を浮遊することから、特許文献１の構成では、排液路の中途位置にフィルタユニットが設けられているため洗浄消毒槽内を浮遊する紐状の汚物を捕捉することができない。
【００１１】
よって、洗浄消毒槽内を浮遊する紐状の汚物が、内視鏡の外表面や洗浄消毒槽において内視鏡を保持する保持網や洗浄消毒槽に対し、紐状を有しているが故に引っ掛かって付着しやすく、内視鏡洗浄消毒装置を用いた洗浄消毒工程終了後であっても汚物が排出口から排出されず残留してしまうといった問題があった。
【００１２】
さらには、特許文献１の構成では、排液路の中途位置にフィルタユニットが設けられているため、フィルタユニットによって捕捉された汚物が取り出し難いといった問題もあった。
【００１３】
本発明は、上記問題点に鑑みてなされたものであり、洗浄消毒工程終了後、内視鏡管路内から排出された固体状態の汚物を確実かつ容易に除去することができる構成を具備する内視鏡洗浄消毒具、内視鏡洗浄消毒装置を提供することを目的とする。
【課題を解決するための手段】
【００１４】
上記目的を達成するため本発明の一態様による内視鏡洗浄消毒具は、内視鏡洗浄消毒装置の洗浄消毒槽に載置された前記内視鏡の挿入部が嵌入される嵌入部材と、前記嵌入部材に設けられた、前記内視鏡を導入するための一方の開口と、前記嵌入部材に設けられた、前記一方の開口に連通している他方の開口と、前記一方の開口と前記他方の開口とをつなぐ連通路を塞ぐように設けられ、前記内視鏡から流れ出た液体または気体を通過させるとともに所定径以上の固体状態の汚物を捕捉するフィルタと、前記嵌入部材に設けられ、前記内視鏡から流れ出た液体または気体の流圧により内視鏡から離脱することを防止するため前記洗浄消毒槽に固定される固定具と、が設けられている。
また、本発明の一態様による内視鏡洗浄消毒装置は、洗浄消毒槽と、前記洗浄消毒槽に載置された内視鏡の挿入部が嵌入される嵌入部材と、前記内視鏡から流れ出た液体または気体を通過させるとともに所定径以上の固体状態の汚物を捕捉するフィルタと、を具備し、前記嵌入部材は、前記洗浄消毒槽に設けられた流体排出口内に位置するとともに前記洗浄消毒槽内の流体を外部に排出するまたは再度前記洗浄消毒槽及び前記内視鏡が具備する内視鏡管路に流入させる管路に連通する凹部に設けられた、一方の開口に前記挿入部の前記先端側の嵌入口が構成され、他方の開口に前記フィルタが設けられた収容具である。
【発明の効果】
【００１５】
本発明によれば、洗浄消毒工程終了後、内視鏡管路内から排出された固体状態の汚物を確実かつ容易に除去することができる構成を具備する内視鏡洗浄消毒具、内視鏡洗浄消毒装置を提供することができる。
【図面の簡単な説明】
【００１６】
【図１】第１実施の形態の内視鏡洗浄具、内視鏡洗浄消毒装置における嵌入部材の斜視図
【図２】図１の嵌入部材が、内視鏡の挿入部の先端側に装着され、洗浄消毒槽に載置された保持網に固定具を介して装着された状態を概略的に示す斜視図
【図３】図２中のIII-III線に沿う内視鏡の挿入部の先端側及び嵌入部材の断面を、内視鏡管路内への流体の供給により汚物を嵌入部材にて捕捉する様子とともに概略的に示す図
【図４】図１の嵌入部材のフィルタにて汚物を切断する変形例を示す図
【図５】図４の切断用のフィルタを保持する嵌入部材内において、フィルタに対向する位置に回転刃を設けた変形例を示す部分断面図
【図６】第２実施の形態の内視鏡洗浄消毒装置における洗浄消毒槽に載置された保持網に、内視鏡を載置した状態を概略的に示す図
【図７】図６中のVII-VII線に沿う保持網、洗浄消毒槽、嵌入部材、排出管路の部分断面図
【図８】図７の逆流防止部材をバルーンから構成した変形例を、洗浄消毒槽、凹部、排液管路、バルーンにエアを供給遮断する機構とともに示す部分断面図
【図９】図８の嵌入部材を拡大して示す斜視図
【図１０】洗浄消毒装置の循環管路、チャンネル管路の中途位置に、フィルタを設けた変形例を概略的に示す図
【図１１】内視鏡洗浄消毒装置の内部構成の一例を示す図
【図１２】フィルタが排液管路の中途位置に設けられた変形例を示す内視鏡洗浄消毒装置の内部構成の一例の図
【図１３】内視鏡の挿入部の先端側と洗浄消毒槽の流体排出口とを接続する排出チューブを示す斜視図
【図１４】図１３の排出チューブが接続される洗浄消毒槽の接続部の形状を示す部分断面図
【図１５】図１３中のXV-XV線に沿う排出チューブの細断部の断面図
【発明を実施するための形態】
【００１７】
以下、図面を参照して本発明の実施の形態を説明する。
【００１８】
（第１実施の形態）
図１は、本実施の形態の内視鏡洗浄具、内視鏡洗浄消毒装置における嵌入部材の斜視図、図２は、図１の嵌入部材が、内視鏡の挿入部の先端側に装着され、洗浄消毒槽に載置された保持網に固定具を介して装着された状態を概略的に示す斜視図、図３は、図２中のIII-III線に沿う内視鏡の挿入部の先端側及び嵌入部材の断面を、内視鏡管路内への流体の供給により汚物を嵌入部材にて捕捉する様子とともに概略的に示す図である。
【００１９】
図１〜図３に示すように、内視鏡洗浄消毒装置１００（図１１参照）は、内視鏡１０の外表面のみならず内視鏡１０が具備する内視鏡管路２０（図３参照）も洗浄消毒するものである。
【００２０】
また、内視鏡洗浄消毒装置１００は、内視鏡１０が載置される洗浄消毒槽１０４（図２参照）と、洗浄消毒槽１０４に載置された内視鏡１０の挿入部１１の挿入方向Ｓの先端側が嵌入される内視鏡洗浄消毒具である嵌入部材１（図１参照）とを具備している。
【００２１】
尚、内視鏡１０は、洗浄液、消毒液に接触し易くするため、図２に示すように、洗浄消毒槽１０４の底面１０４ｔに載置された保持網５によって保持された状態で洗浄消毒槽１０４に対して載置されていても構わない。
【００２２】
具体的には、保持網５に対し、内視鏡１０は、内視鏡１０の細長な挿入部１１及びユニバーサルコード１３が巻回された状態で操作部１２、コネクタ１４とともに載置されていても構わない。
【００２３】
また、内視鏡１０は、上述したように内部に内視鏡管路２０を具備している。内視鏡管路２０は、例えば一端が操作部１２に設けられた口金において開口されており、他端が挿入部１１の挿入方向Ｓの先端側の先端面１１ｓにおいて開口２０ｓとして開口されている。
【００２４】
よって、内視鏡管路２０内の洗浄消毒は、操作部１２に設けられた口金に対し、内視鏡洗浄消毒装置１００の送気送水／鉗子口用ポート１３３（図１１参照）がチューブ６３を介して接続された後、送気送水／鉗子口用ポート１３３から口金を介して内視鏡管路２０内に流体Ｒが供給されることにより行われる。
【００２５】
尚、流体Ｒとしては、洗浄液、消毒液、アルコール、水、気体等が挙げられる。また、内視鏡管路２０内に供給された流体Ｒは、開口２０ｓを介して洗浄消毒槽１０４に排出される。
【００２６】
嵌入部材１は、本実施の形態においては、図１、図３に示すように、筒状に形成されているとともに、挿入部１１の挿入方向Ｓの先端側に対して着脱自在であり、一方の開口１ｉに挿入部１１の挿入方向Ｓの先端側の嵌入口が構成され、他方の開口１ｔにフィルタ２が設けられたキャップ状部材から構成されている。尚、フィルタ２は、一方の開口１ｉと他方の開口１ｔとをつなぐ連通路を塞ぐように設けられている。
【００２７】
尚、嵌入部材１が挿入部１１の挿入方向Ｓの先端側に対して装着される際は、図３に示すように、開口１ｉを介して嵌入部材１の内部１ｒに挿入部１１の挿入方向Ｓの先端側が挿入される。
【００２８】
また、嵌入部材１は、挿入部１１の挿入方向Ｓの先端側に対して装着された際、図３に示すように挿入部１１の挿入方向Ｓの先端側の外周面１１ｇ及び先端面１１ｓに対して遊嵌状態にて装着されることが好ましい。
【００２９】
これは、嵌入部材１が挿入部１１の挿入方向Ｓの先端側の外周面１１ｇ及び先端面１１ｓに対して緊密に装着されてしまうと、挿入部１１の挿入方向Ｓの先端側の外周面１１ｇ及び先端面１１ｓの洗浄消毒ができなくなってしまうためである。
【００３０】
フィルタ２は、嵌入部材１が挿入部１１の挿入方向Ｓの先端側に対して装着され、内視鏡管路２０内の洗浄を行うため内視鏡管路２０内に流体Ｒが供給された際、図３に示すように、内視鏡管路２０の開口２０ｓから流れ出た流体Ｒの内、液体または気体を通過させるとともに、汚物、例えば流体Ｒの供給により内視鏡管路内壁２０ｎから剥がれた固体状態の汚物Ｂを少なくとも捕捉するものである。尚、フィルタ２としては、例えばメッシュ状のフィルタが挙げられる。また、固体状態の汚物Ｂとしては、上述した凝固した血液からなる紐状の汚物が挙げられる。汚物Ｂの状態としては固体であり、ゲル状態も含まれる。
【００３１】
また、フィルタ２は、フィルタ２によって捕捉した汚物Ｂを取り出すため、嵌入部材１に対して着脱自在であることが好ましい。
【００３２】
さらに、嵌入部材１は、洗浄消毒槽１０４に対して、例えば保持網５に対して、図１、図２に示すように、嵌入部材１に設けられた固定具３により着脱自在となっている。尚、固定具３としては、図２においてはフックを例に挙げて示しているが、フックに限定されず、吸盤やマグネット等であっても構わない。固定具３は、内視鏡１０から流れ出た液体または気体の流圧により嵌入部材１が内視鏡から離脱してしまうことを防止する部材である。
【００３３】
よって、嵌入部材１は、固定具３を介して保持網５に固定されていることにより、嵌入部材１が挿入部１１の挿入方向Ｓの先端側に対して遊嵌状態で装着されていたとしても、固定具３により、嵌入部材１が洗浄消毒工程中に外れてしまうことが防がれている。
【００３４】
次に、本実施の形態の作用を簡単に説明する。
【００３５】
先ず、内視鏡１０を洗浄消毒する場合は、内視鏡１０を、洗浄消毒槽１０４の底面１０４ｔに載置された保持網５に対して、上述したように、挿入部１１及びユニバーサルコード１３を巻回した状態で操作部１２及びコネクタ１４とともに載置する。
【００３６】
次いで、操作部１２に設けられた内視鏡管路２０の口金と、内視鏡洗浄消毒装置１００の送気送水／鉗子口用ポート１３３（図１１参照）とを接続する。
【００３７】
その後、挿入部１１の挿入方向Ｓの先端側に嵌入部材１を装着し、嵌入部材１を固定具３により保持網５に固定した後、洗浄消毒工程を開始する。尚、内視鏡１０を洗浄消毒するための洗浄消毒工程は周知であるため、詳しい説明は省略する。
【００３８】
洗浄消毒工程が開始されると、流体Ｒが口金を介して内視鏡管路２０内に流入する。その後、流体Ｒは、内視鏡管路２０を口金から開口２０ｓまで流れた後、流体Ｒの内、液体または気体が開口２０ｓから洗浄消毒槽１０４に排出される。
【００３９】
この際、図３に示すように内視鏡管路内壁２０ｎに付着していた汚物Ｂは、流体Ｒの供給により剥がされ開口２０ｓから排出されるが、嵌入部材１の他方の開口１ｔにはフィルタ２が設けられていることから、汚物Ｂはフィルタ２により捕捉される。即ち、汚物Ｂが洗浄消毒槽１０４に排出されてしまうことがない。
【００４０】
最後に、洗浄消毒工程終了後、挿入部１１の挿入方向Ｓの先端側から嵌入部材１を取り外した後、嵌入部材１から汚物Ｂが捕捉されたフィルタ２を取り外すことによって汚物Ｂを回収するか、直接フィルタ２に捕捉されている汚物Ｂを、開口１ｉを介して回収する。
【００４１】
このように、本実施の形態においては、内視鏡洗浄消毒装置１００を用いた内視鏡１０の洗浄消毒工程において、挿入部１１の挿入方向Ｓの先端側に、他方の開口１ｔにフィルタ２が設けられた嵌入部材１が装着されると示した。
【００４２】
このことによれば、内視鏡管路２０内への流体Ｒの供給により、内視鏡管路２０内の汚物Ｂは、内視鏡管路２０の開口２０ｓから排出された際、嵌入部材１の内部１ｒにおいてフィルタ２によって捕捉されることにより、洗浄消毒槽１０４に排出されてしまうことがない。
【００４３】
よって、汚物Ｂが洗浄消毒槽１０４の後述する排出口１５５（図１１参照）から洗浄消毒槽１０４外に排出される前に洗浄消毒槽１０４において浮遊することがないことから、汚物Ｂは、洗浄消毒工程終了後、洗浄消毒槽１０４に載置された内視鏡１０の外表面、保持網５、洗浄消毒槽１０４に引っ掛かって残留してしまうことがない。
【００４４】
また、汚物Ｂは、洗浄消毒工程終了後、嵌入部材１を挿入部１１の挿入方向Ｓの先端側から取り外することによって容易に回収することができる。
【００４５】
以上から、洗浄消毒工程終了後、内視鏡管路２０内から排出された固体状態の汚物Ｂを確実かつ容易に除去することができる構成を具備する内視鏡洗浄消毒具、内視鏡洗浄消毒装置１００を提供することができる。
【００４６】
尚、以下、変形例を、図４を用いて示す。図４は、図１の嵌入部材のフィルタにて汚物を切断する変形例を示す図である。
【００４７】
上述した本実施の形態においては、嵌入部材１のフィルタ２は、少なくとも汚物Ｂを捕捉すると示した。
【００４８】
これに限らず、嵌入部材は、大きな塊の汚物Ｂを細かく切断する機能を有する切断部を含んでいてもよい。
図４に示すように、フィルタ２に切断部としても機能を持たせ、汚物Ｂを捕捉するだけでなく、大きな塊の汚物Ｂを細かく切断する機能を有していても構わない。尚、切断後の小さな汚物Ｂは、洗浄消毒槽１０４に排出された後、排出口１５５（図１１参照）を介して洗浄消毒槽１０４外へと排出される。
フィルタ２が汚物Ｂを切断する方法として具体的には、フィルタ２に捕捉された汚物Ｂが内視鏡１０から吐出された流体Ｒに加圧され、フィルタ２を形成する繊維に押し付けられることで切断される。汚物Ｂを、フィルタ２で捕捉のみしたい場合、捕捉後切断したい場合、それぞれ繊維の太さ、密集度、または流体の圧力等により調整することができる。
【００４９】
このような構成によれば、開口２０ｓから排出された大きな塊の汚物Ｂは、フィルタ２にて細かく切断される。このことから、細かく切断された汚物は洗浄消毒槽１０４を浮遊しても内視鏡１０の外表面、保持網５、洗浄消毒槽１０４に引っ掛かり難いため、汚物Ｂが、洗浄消毒工程終了後、洗浄消毒槽１０４に載置された内視鏡１０の外表面、保持網５、洗浄消毒槽１０４に引っ掛かって残留してしまうことがない。尚、その他の効果は、上述した本実施の形態と同じである。
【００５０】
また、以下、切断部として刃を用いた別の変形例を、図５を用いて示す。図５は、図４の切断用のフィルタを保持する嵌入部材内において、フィルタに対向する位置に回転刃を設けた変形例を示す部分断面図である。
【００５１】
図５に示すように、嵌入部材１の内部１ｒにおいて、フィルタ２に対向する位置に、流体Ｒの供給により自転する回転刃１７が設けられていても構わない。
【００５２】
このような構成によれば、内視鏡管路２０内への流体Ｒの供給に伴って自転する回転刃１７が、内視鏡管路２０から排出される大きな塊の汚物Ｂの切断するため、図４のフィルタ２のみを用いた切断よりもより確実かつ細かく汚物Ｂを切断することができる。尚、その他の効果は、図４と同様である。
【００５３】
（第２実施の形態）
図６は、本実施の形態の内視鏡洗浄消毒装置における洗浄消毒槽に載置された保持網に、内視鏡を載置した状態を概略的に示す図、図７は、図６中のVII-VII線に沿う保持網、洗浄消毒槽、嵌入部材、排出管路の部分断面図である。
【００５４】
この第２実施の形態の内視鏡洗浄消毒装置の構成は、上述した図１〜図３に示した第１実施の形態の内視鏡洗浄消毒装置と比して、嵌入部材が、流体排出口内の凹部に設けられた収容具である点が異なる。よって、この相違点のみを説明し、第１実施の形態と同様の構成には同じ符号を付し、その説明は省略する。
【００５５】
本実施の形態においても、内視鏡１０は、図６に示すように、洗浄消毒槽１０４に載置される。尚、上述した第１実施の形態と同様に、洗浄消毒槽１０４の底面１０４ｔに載置された保持網５によって保持された状態で、内視鏡１０は、洗浄消毒槽１０４に対して載置されていても構わない。
【００５６】
また、本実施の形態においては、内視鏡洗浄消毒装置１００は、図７に示すように、洗浄消毒槽１０４に設けられた流体排出口となる排出口１５５内における凹部１５９ｈに設けられた嵌入部材３０を具備している。尚、凹部１５９ｈは、洗浄消毒槽１０４内の流体Ｒを内視鏡洗浄消毒装置１００外へと排出する排液管路１５９（図１１参照）に連通している。
【００５７】
また、嵌入部材３０は、洗浄消毒槽１０４に設けられた流体排出口となる循環口１５６（図１１参照）内における洗浄消毒槽１０４の流体Ｒを再度洗浄消毒槽１０４、内視鏡管路２０に流入させる循環管路１２０、チャンネル管路１２１、流液管路１１８（いずれも図１１参照）に連通する凹部に設けられていても構わない。
【００５８】
嵌入部材３０は、本実施の形態においては、図６、図７に示すように、保持網５の隙間から洗浄消毒槽１０４に載置された内視鏡１０の挿入部１１の挿入方向Ｓの先端側が内部３０ｒに嵌入されるものである。また、嵌入部材３０は、一方の開口３０ｉに、挿入部１１の挿入方向Ｓの先端側の嵌入口が構成され、他方の開口３０ｔにフィルタ２が設けられた収容具から構成されている。
【００５９】
尚、フィルタ２の機能は、上述した第１実施の形態と同じである。即ち、フィルタ２は、内視鏡管路２０の開口２０ｓから排出された汚物Ｂを少なくとも捕捉する機能を有している。また、フィルタ２は、嵌入部材３０に対して着脱自在であっても構わない。
【００６０】
さらに、嵌入部材３０は、凹部１５９ｈに対して着脱自在であっても構わない。凹部１５９ｈに対して嵌入部材３０が着脱自在であれば、凹部１５９ｈから嵌入部材３０を取り外すのみで、フィルタ２に捕捉された汚物Ｂを容易に回収することができる。
【００６１】
また、図７に示すように、嵌入部材３０の内周面３０ｎに、嵌入部材３０の内部３０ｒに嵌入された挿入部１１の挿入方向Ｓの先端側を保持するとともに、汚物Ｂの洗浄消毒槽１０４への逆流、汚物Ｂの飛散を防ぐ逆流防止部材３１が設けられている。
【００６２】
尚、本実施の形態においては、逆流防止部材３１の一例として、挿入部１１の挿入方向Ｓの先端側が嵌入される嵌入孔３１ｈを有するラバー状部材を挙げている。
【００６３】
また、逆流防止部材３１を嵌入部材３０に設けない場合は、図６、図７に示すように、保持網５の中央領域に位置する中心塔５ｃに複数のノズル８を設け、複数のノズル８から嵌入部材３０の内部３０ｒに排出口１５５、嵌入部材３０の一方の開口３０ｉを介してシャワーカーテンを施すことによって、汚物Ｂの洗浄消毒槽１０４への逆流、汚物の飛散を防いでも構わない。尚、シャワーカーテンは、液体、気体のどちらを用いても良い。
【００６４】
次に、本実施の形態の作用を簡単に説明する。
【００６５】
先ず、内視鏡１０を洗浄消毒する場合は、内視鏡１０を、洗浄消毒槽１０４の底面１０４ｔに載置された保持網５に対して、上述したように、挿入部１１及びユニバーサルコード１３を巻回した状態で操作部１２及びコネクタ１４とともに載置する。
【００６６】
次いで、操作部１２に設けられた内視鏡管路２０の口金と、内視鏡洗浄消毒装置１００の送気送水／鉗子口用ポート１３３（図１１参照）とを接続する。
【００６７】
その後、挿入部１１の挿入方向Ｓの先端側を、排出口１５５を介して嵌入部材３０の内部３０ｒに嵌入させ、逆流防止部材３１の嵌入孔３１ｈを通過させた後、洗浄消毒工程を開始する。
【００６８】
洗浄消毒工程が開始されると、流体Ｒが口金を介して内視鏡管路２０内に流入する。その後、流体Ｒは、内視鏡管路２０を口金から開口２０ｓまで流れた後、開口２０ｓから嵌入部材３０の内部３０ｒに排出される。
【００６９】
この際、内視鏡管路内壁２０ｎ（図３参照）に付着していた汚物Ｂは、流体Ｒの供給により剥がされ開口２０ｓから排出されるが、嵌入部材３０の他方の開口３０ｔにはフィルタ２が設けられていることから、汚物Ｂはフィルタ２により捕捉される。尚、フィルタ２によって捕捉された汚物Ｂは、逆流防止部材３１によって、洗浄消毒槽１０４に逆流してしまうことがない。即ち、汚物Ｂは洗浄消毒槽１０４に排出されてしまうことがない。
【００７０】
最後に、洗浄消毒工程終了後、嵌入部材３０の内部３０ｒから挿入部１１の挿入方向Ｓの先端側を抜去した後、嵌入部材３０の内部３０ｒから開口３０ｉを介して直接フィルタ２から汚物Ｂを取り出すか、凹部１５９ｈから嵌入部材３０を取り出して、開口３０ｉを介してフィルタ２から汚物Ｂを取り出す。尚、この際、嵌入部材３０から汚物Ｂが捕捉されたフィルタ２を取り外すことによって汚物Ｂを回収しても良い。
【００７１】
このように、本実施の形態においては、嵌入部材３０は、排出口１５５内における凹部１５９ｈに設けられており、洗浄消毒工程において、挿入部１１の挿入方向Ｓの先端側は、排出口１５５、嵌入部材３０の開口３０ｉを介して他方の開口３０ｔにフィルタ２が設けられた嵌入部材３０の内部３０ｒに嵌入されると示した。
【００７２】
このことによれば、内視鏡管路２０内への流体Ｒの供給により、内視鏡管路２０内の汚物Ｂが内視鏡管路２０の開口２０ｓから排出された際、排出口１５５内における凹部１５９ｈに設けられた嵌入部材３０の内部３０ｒにおいてフィルタ２によって捕捉されることにより、洗浄消毒槽１０４に排出されてしまうことがない。また、逆流防止部材３１によって、嵌入部材３０の内部３０ｒに排出された汚物Ｂが洗浄消毒槽１０４に逆流してしまうことがない。
【００７３】
よって、内視鏡管路２０内から排出された汚物Ｂがそもそも洗浄消毒槽１０４において浮遊することがないことから、汚物Ｂは、洗浄消毒工程終了後、洗浄消毒槽１０４に載置された内視鏡１０の外表面、保持網５、洗浄消毒槽１０４に引っ掛かって残留してしまうことがない。
【００７４】
また、汚物Ｂは、洗浄消毒工程終了後、排出口１５５、開口３０ｉを介して、直接回収するか、凹部１５９ｈから嵌入部材３０を取り出し回収するか、嵌入部材３０からフィルタ２を取り外して回収するかによって、容易に回収することができる。
【００７５】
以上から、洗浄消毒工程終了後、内視鏡管路２０内から排出された汚物Ｂを確実かつ容易に除去することができる構成を具備する内視鏡洗浄消毒装置１００を提供することができる。尚、その他の効果は、上述した第１実施の形態と同じである。
【００７６】
尚、以下、変形例を示す。本実施の形態においても、上述した第１実施の形態と同様に、フィルタ２は、内視鏡管路２０内から排出された大きな塊の汚物Ｂを細かく切断する機能を有していても構わない。
【００７７】
また、上述した図５と同様に、嵌入部材３０の内部３０ｒにおいて、フィルタ２に対向する位置に、流体Ｒの供給により自転することによって汚物Ｂを細かく細断する回転刃が設けられていても構わない。
【００７８】
また、以下、別の変形例を、図８、図９を用いて示す。図８は、図７の逆流防止部材をバルーンから構成した変形例を、洗浄消毒槽、凹部、排液管路、バルーンにエアを供給遮断する機構とともに示す部分断面図、図９は、図８の嵌入部材を拡大して示す斜視図である。
【００７９】
上述した本実施の形態においては、逆流防止部材３１は、図７に示すように、挿入部１１の挿入方向Ｓの先端側が嵌入される嵌入孔３１ｈを有するラバー状部材を例に挙げて示した。
【００８０】
これに限らず、図８に示すように、逆流防止部材３１は、膨張収縮自在なバルーンから構成されていても構わない。尚、以下、説明上、バルーンにも符号３１を付す。
【００８１】
具体的には、嵌入部材３０の内周面３０ｎには、バルーン３１が固定されている。具体的には、開口３０ｉと開口３０ｔとを結ぶ方向Ｈにおけるバルーン３１における各端部が、内周面３０ｎに固定リング４５によってそれぞれ固定されることによって、内周面３０ｎにバルーン３１が固定されている。
【００８２】
また、図８に示すように、排液管路１５９の排出口１５５側の部位には、凹部１５９ｈが形成されており、方向Ｈにおける図８、図９の上端に設けられたフランジ１５９ｆが、洗浄消毒槽１０４の底面１０４ｔに固定される構成を有している。
【００８３】
尚、本構成においては、図８に示すように、嵌入部材３０の一部に、一端が内周面３０ｎに開口されるとともに他端が底部３０ｂに開口された方向Ｈに沿ったエア供給管路３０ｖが形成されている。
【００８４】
また、凹部１５９ｈの底面１５９ｈｔには、エア供給コネクタ１５９ｃが設けられている。さらに、本構成では、排液管路１５９には、一端がエア供給コネクタ１５９ｃに開口され、他端が排液管路１５９の外周面１５９ｇに開口されたエア供給管路１５９ｖが形成されている。
【００８５】
また、排液管路１５９のフランジ１５９ｆに設けられた位置決め穴１５９ｐに、凹部１５９ｈに装着された嵌入部材３０のフランジ３０ｆに設けられた位置決め凸部３０ｐが嵌合することによって、凹部１５９ｈに嵌入部材３０が位置決めされる。具体的には、エア供給コネクタ１５９ｃにエア供給管路３０ｖの底部３０ｂの開口が装着されるよう位置決めされる。
【００８６】
尚、位置決め後、エア供給管路３０ｖとエア供給管路１５９ｖとがＯリング７７を介して各管路外に対して水密気密に連通する。尚、嵌入部材３０にもフランジ３０ｆが設けられていると、嵌入部材３０を凹部１５９ｈに対して装脱しやすくなる。
【００８７】
さらに、エア供給管路１５９ｖの排液管路１５９の外周面１５９ｇの開口に、エア供給チューブ４３の一端が接続されている。エア供給チューブの他端側は、２つに分岐しており、一方にはエアポンプ４１が接続され、他方には排気弁４２が接続されている。
【００８８】
よって、バルーン３１を膨張させる際は、排気弁４２を閉じるとともに、エアポンプ４１を駆動すると、エアＡは、エア供給チューブ４３、エア供給管路１５９ｖ、３０ｖを介してバルーン３１内に供給される。このことによりバルーン３１は膨張する。
【００８９】
また、バルーン３１を収縮させる場合は、エアポンプ４１の駆動を停止させるとともに、排気弁４２を開けると、バルーン３１内のエアＡは、エア供給管路３０ｖ、１５９ｖ、エア供給チューブ４３を介して排気弁４２から排出される。このことにより、バルーン３１は収縮する。
【００９０】
よって、洗浄消毒工程において、内視鏡管路２０内を洗浄する場合は、バルーン３１が収縮した状態において、嵌入部材３０の内部３０ｒに挿入部１１の挿入方向Ｓの先端側が挿入された状態で、バルーン３１が挿入部１１の挿入方向Ｓの先端側の外周面に当接するまでバルーン３１を膨張させることにより、バルーン３１を上述した本実施の形態のラバー部材と同様の機能を有して用いることができる。具体的には、バルーン３１により、嵌入部材３０の内部３０ｒに嵌入された挿入部１１の挿入方向Ｓの先端側を保持できるとともに、汚物Ｂの洗浄消毒槽１０４への逆流を防止することができる。
【００９１】
尚、バルーン３１を膨張させるのは、内視鏡管路２０内を洗浄消毒する場合のみである。これは、内視鏡１０の外表面の洗浄消毒の際、バルーン３１が膨張していると、バルーン３１よりも下流側に洗浄液または消毒液が進入せず、バルーン３１よりも下流側の挿入部１１の挿入方向Ｓの先端側の外周面に洗浄液または消毒液を供給することができなくなってしまうためである。また、図示しないが、排液管路１５９の凹部１５９ｈの底面１５９ｈｔよりも下流側の部位には、消毒の際、嵌入部材３０内に消毒液を貯留させるための電磁弁が設けられている。
【００９２】
さらに、バルーン３１は、凹部１５９ｈに対して着脱自在な嵌入部材３０に設けられていることにより、劣化等に伴い交換の必要が生じても固定リング４５を着脱することによって容易に交換することができる。尚、バルーン３１の劣化に伴って、嵌入部材３０自体を交換しても構わない。
【００９３】
このように、逆流防止部材をバルーンから構成しても、上述した本実施の形態と同様の効果を得ることができる。
【００９４】
尚、以下、別の変形例を、図１０を用いて示す。図１０は、洗浄消毒装置の循環管路、チャンネル管路の中途位置に、フィルタを設けた変形例を概略的に示す図である。
【００９５】
上述した本実施の形態においては、洗浄消毒槽１０４の排出口１５５内に設けられた凹部１５９ｈに嵌入部材３０を設け、嵌入部材３０に設けられたフィルタ２により、内視鏡管路２０から排出された汚物Ｂを捕捉すると示した。
【００９６】
これに限らず、図１０に示すように、内視鏡洗浄消毒装置１００において、循環口１５６と、送気送水／鉗子口用ポート１３３とを接続する循環管路１２０、チャンネル管路１２１の中途位置にフィルタ２を設け、チャンネル管路１２１の中途位置に設けられたチャンネルポンプ１２６を吸引ポンプとして用いることにより、チャンネルポンプ１２６の駆動後、送気送水／鉗子口用ポート１３３にチューブ６３を介して接続された内視鏡管路２０内の汚物Ｂをチャンネル管路１２１に吸引して、フィルタ２にて捕捉または切断する構成であっても構わない。
【００９７】
次に、上述した第１実施の形態及び第２実施の形態の内視鏡洗浄消毒装置１００の一例を、図１１を用いて示す。図１１は、内視鏡洗浄消毒装置の内部構成の一例を示す図である。
【００９８】
図１１に示すように、内視鏡洗浄消毒装置１００は、装置本体１０２と、その上部に、例えば図示しない蝶番を介して開閉自在に接続されたトップカバー１０３とにより主要部が構成されている。
【００９９】
また、水道栓１０５がチューブ１３１ａを介して接続された給水ホース接続口１３１は、給水管路１０９の一端と連通している。この給水管路１０９は、他端が三方電磁弁１１０に接続されており、管路の中途において、給水ホース接続口１３１側から順に、給水電磁弁１１５と、逆止弁１１６と、給水フィルタ１１７とが介装されている。
【０１００】
尚、給水フィルタ１１７は、定期的に交換できるように、カートリッジタイプの濾過フィルタとして構成されている。給水フィルタ１１７は、通過する水道水の異物、雑菌等を除去する。
【０１０１】
三方電磁弁１１０は、流液管路１１８の一端と接続されており、洗浄消毒槽１０４に露出する給水循環ノズル１２４に対する給水管路１０９と流液管路１１８との連通を内部の弁によって切り替える。つまり、給水循環ノズル１２４は、三方電磁弁１１０の切り替え動作により、給水管路１０９と流液管路１１８とのいずれか一方と連通する。また、流液管路１１８の他端側には、液体のみを移送することができる、液体の移送能力に優れた非自吸式のポンプである流液ポンプ１１９が介装されている。
【０１０２】
洗浄消毒槽１０４に配設された循環口１５６は、循環管路１２０の一端に接続されている。循環管路１２０の他端は、流液管路１１８の他端及びチャンネル管路１２１の一端と連通するように、２つに分岐している。チャンネル管路１２１の他端は、各ポート１３３ａ、１３３ｂ、１３３ｃ、１３３ｄからなる送気送水／鉗子口用ポート１３３に連通している。
【０１０３】
チャンネル管路１２１は、管路の中途において、一端側から順に、チャンネルポンプ１２６、チャンネルブロック１２７、チャンネル電磁弁１２８がそれぞれ介装されている。チャンネルブロック１２７とチャンネル電磁弁１２８の間におけるチャンネル管路１２１には、洗浄ケース１０６と一端が接続しているケース用管路１３０の他端が接続されている。このケース用管路１３０には、リリーフ弁１３６が介装されている。尚、チャンネルポンプ１２６は、液体と気体とをどちらも、非自吸式ポンプよりも高圧で移送することができる自吸式のポンプから構成されている。
【０１０４】
洗浄消毒槽１０４に露出された洗剤ノズル１２２は、洗浄剤管路１３９の一端と接続されており、洗浄剤管路１３９の他端は、洗剤タンク１１１ａに接続されている。この洗浄剤管路１３９には、その中途に、洗浄剤を洗剤タンク１１１ａから洗浄消毒槽１０４まで持ち上げるため高圧の自吸式のポンプから構成された洗剤用ポンプ１４０が介装されている。
【０１０５】
アルコールタンク１１１ｂは、アルコール管路１４１の一端と接続されており、このアルコール管路１４１はチャンネル管路１２１と所定に連通するように、チャンネルブロック１２７に接続されている。
【０１０６】
このアルコール管路１４１には、アルコールをアルコールタンク１１１ｂから洗浄消毒槽１０４まで持ち上げるため高圧の自吸式のポンプから構成されたアルコール供給ポンプ１４２と、電磁弁１４３とが介装されている。
【０１０７】
また、チャンネルブロック１２７には、気体を移送することができる自吸式ポンプから構成されたエアポンプ１４５からの空気を供給するためのエア管路１４４の一端が所定にチャンネル管路１２１と連通するように接続されている。このエア管路１４４は、他端がエアポンプ１４５に接続されており、エア管路１４４の中途位置には、逆止弁１４７と、定期的に交換されるエアフィルタ１４６とが介装されている。
【０１０８】
洗浄消毒槽１０４の排出口１５５内には、弁の切り替え動作により、外部へ洗浄液等を排出したり、薬液タンク１５８に消毒液を回収したりするための開閉自在な図示しない上述した電磁弁が設けられている。
【０１０９】
排出口１５５は、外部排液口へ接続される不図示の排水ホースと一端が接続されて連通する排液管路１５９の他端と接続されており、この排液管路１５９には、非自吸式のポンプから構成された排水ポンプ１６０が介装されている。また、排出口１５５は、薬液回収管路１６１の一端と接続され、この薬液回収管路１６１の他端は薬液タンク１５８に接続されている。
【０１１０】
薬液タンク１５８は、内視鏡洗浄消毒装置用薬液ボトル２００から薬液、例えば消毒液が供給されるように、薬液供給管路１６２の一端とも接続されている。
【０１１１】
また、薬液タンク１５８内には、一端に吸引フィルタ１６３が設けられた薬液管路１６４の前記一端部分が所定に収容されている。この薬液管路１６４は、他端が洗浄消毒槽１０４に露出された消毒液ノズル１２３に接続されており、中途位置に、消毒液を薬液タンク１５８から洗浄消毒槽１０４まで持ち上げるため高圧の自吸式のポンプから構成された薬液ポンプ１６５が介装されている。
尚、洗浄消毒槽１０４の底面の下部には、例えば２つの超音波振動子１５２と、ヒータ１５３とが配設されている。また、ヒータ１５３の温度調節のため、洗浄消毒槽１０４の底面の略中央には、温度検知センサ１５３ａが設けられている。
【０１１２】
また、内視鏡洗浄消毒装置１００の内部には、外部のＡＣコンセントから電力が供給される電源１７１と、この電源１７１と電気的に接続される制御部１７０が設けられている。この制御部１７０は、内視鏡洗浄消毒装置１００に設けられた図示しないメイン操作パネル及びサブ操作パネルからの各種信号が供給され、上述した各ポンプ、各電磁弁などを駆動制御する。
【０１１３】
尚、以下、変形例を、図１２を用いて示す。図１２は、フィルタが排液管路の中途位置に設けられた変形例を示す内視鏡洗浄消毒装置の内部構成の一例の図である。
【０１１４】
図１２に示すように、フィルタ２が嵌入部材３０の内部３０ｒに設けられておらず、排液管路１５９の中途位置に設けられていても、嵌入部材３０の内部３０ｒに挿入部１１の挿入方向Ｓの先端側が嵌入されていれば、内視鏡管路２０から排出された汚物Ｂは、洗浄消毒槽１０４を浮遊することなく、フィルタ２にて捕捉することができる。
【０１１５】
しかしながら、この構成では、作業者がフィルタ２から汚物Ｂを回収することは難しい。よって、図１２に示す構成では、フィルタ２に捕捉された汚物Ｂを溶かして外部排液口から排出する構成を示している。
【０１１６】
具体的には、図１２に示すように、排液管路１５９のフィルタ２よりも排出口１５５側の位置には、クリーナ供給管路１９３の一端が接続されている。クリーナ供給管路１９３の他端には、クリーナが貯留されたクリーナタンク１１１ｃが接続されている。また、クリーナ供給管路１９３の一端と他端との間には、一端側から順に、逆止弁１９１と、クリーナポンプ１９２とが介装されている。
【０１１７】
尚、クリーナタンク１１１ｃに貯留されたクリーナとしては、苛性ソーダや、塩素等が主成分のものが挙げられる。
【０１１８】
よって、内視鏡管路２０の洗浄後、クリーナポンプ１９２を駆動して、クリーナタンク１１１ｃ内のクリーナをクリーナ供給管路１９３、排液管路１５９を介してフィルタ２に供給すれば、フィルタ２に捕捉されている汚物Ｂをクリーナによって溶かすことができる。
【０１１９】
尚、フィルタ２へのクリーナの供給は、内視鏡管路２０の洗浄工程終了後、毎回行っても構わないし、洗浄消毒槽１０４からの排液時間を計測し、所定時間内に設定量が排液できない場合は、フィルタ２が目詰まりしていると検出して、クリーナを供給するよう構成されていても構わない。
【０１２０】
さらには、上述した第１、第２実施の形態の構成においても、内視鏡洗浄消毒装置１００は、内視鏡管路２０を介したクリーナの供給により、フィルタ２に捕捉された汚物Ｂを溶かす機能を有していても構わない。
【０１２１】
また、上述した第１、第２実施の形態の構成においても、内視鏡洗浄消毒装置１００は、フィルタ２の詰まりを検出する機能を有していても構わない。
【０１２２】
また、以下、別の変形例を、図１３〜図１５を用いて示す。図１３は、内視鏡の挿入部の先端側と洗浄消毒槽の流体排出口とを接続する排出チューブを示す斜視図、図１４は、図１３の排出チューブが接続される洗浄消毒槽の接続部の形状を示す部分断面図、図１５は、図１３中のXV-XV線に沿う排出チューブの細断部の断面図である。
【０１２３】
図１３に示すように、内視鏡洗浄消毒装置１００は、内視鏡１０の挿入部１１の挿入方向Ｓの先端側と、洗浄消毒槽１０４の排出口１５５とを接続する排出チューブを有していても構わない。
【０１２４】
具体的には、排出チューブ７０は、細断部７３と、細断部７３の一端に設けられた流体排出口接続部７１と、細断部７３の他端に設けられた内視鏡接続部７２とを具備して主要部が構成されている。
【０１２５】
図１３に示すように、流体排出口接続部７１は、細断部７３よりも太径に形成されており、端面７１ｔに半円状の凹部７１ｈが２つ形成されている。尚、半円状の凹部７１ｈには、図１４に示すように、洗浄消毒槽１０４の底面１０４ｔにおける排出口１５５の周囲を囲むよう洗浄消毒槽１０４の底面からそれぞれ起立した２つの半円状のリブ１０４ｄがそれぞれ嵌入される。
【０１２６】
即ち、凹部７１ｈにリブ１０４ｄが嵌入すると、流体排出口接続部７１が排出口１５５に接続され、排出チューブ７０内の流路７０ｉと、排液管路１５９とは連通する。
【０１２７】
内視鏡接続部７２は、細断部７３よりも太径に形成されており、内部７２ｒに、挿入部１１の挿入方向Ｓの先端側が嵌入される。その結果、内視鏡接続部７２が挿入部１１の挿入方向Ｓの先端側に接続され、内視鏡管路２０と、排出チューブ７０内の流路７０ｉとは連通する。
【０１２８】
細断部７３は、図１５に示すように、内部の流路７３ｉに、細断部７３の延在方向に沿って、複数の細断部材８２が設けられている。細断部７３は、流路７３ｉを通過する汚物Ｂを細断する。尚、複数の細断部材８２としては、メッシュ状の構造物が挙げられる。
【０１２９】
このような構成によれば、内視鏡管路２０の開口２０ｓから排出された汚物Ｂは、排出チューブ７０内の流路７０ｉに進入し、細断部７３内の流路７３ｉに設けられた複数の細断部材８２により細断された後、排出口１５５を介して排液管路１５９から外部に排出される。
【０１３０】
尚、複数の細断部材８２は、内視鏡接続部７２側から流体排出口接続部７１側に向かうに従い、よりメッシュのサイズが小さくなるように配置すれば、汚物Ｂの細断効果がより大きくなる。
【０１３１】
また、本構成において、複数の細断部材８２にて効率良く汚物Ｂを細断するには、内視鏡管路２０を介して流路７０ｉ内に液体を供給することにより流路７０ｉ内において液体が満たされている状態において、内視鏡管路２０を介して流路７０ｉに気体を送気することにより、汚物を液体とともに移動させることが好ましい。この際、気体は液体に比べ流速が早くなることから、汚物Ｂを強く吹き飛ばす効果があるため、複数の細断部材８２を用いた細断力が大きくなる。
【０１３２】
よって、先ず、内視鏡管路２０を介して流路７０ｉに液体を供給することにより、複数の細断部材８２において汚物Ｂを捕捉させた後、内視鏡管路２０を介して流路７０ｉに気体を供給すれば、大きな塊の汚物Ｂであっても複数の細断部材８２を用いて容易に細断することができる。
【符号の説明】
【０１３３】
１…嵌入部材（内視鏡洗浄消毒具）
１ｉ…嵌入部材の一方の開口
１ｒ…嵌入部材の内部
１ｔ…嵌入部材の他方の開口
２…フィルタ
３…固定具
５…保持網
５ｃ…中心塔
８…ノズル
１０…内視鏡
１１…挿入部
１１ｇ…挿入部の外周面
１１ｓ…挿入部の先端面
１２…操作部
１３…ユニバーサルコード
１４…コネクタ
１７…回転刃
２０…内視鏡管路
２０ｎ…内視鏡管路内壁
２０ｓ…内視鏡管路の開口
３０…嵌入部材
３０ｂ…嵌入部材の底部
３０ｆ…嵌入部材のフランジ
３０ｉ…嵌入部材の一方の開口
３０ｎ…嵌入部材の内周面
３０ｐ…嵌入部材の凸部
３０ｒ…嵌入部材の内部
３０ｔ…嵌入部材の他方の開口
３０ｖ…エア供給管路
３１…逆流防止部材
３１…バルーン
３１ｈ…逆流防止部材の嵌入孔
３３…鉗子口用ポート
４１…エアポンプ
４２…排気弁
４３…エア供給チューブ
４５…固定リング
６３…チューブ
７０…排出チューブ
７０ｉ…排出チューブ内の流路
７１…流体排出口接続部
７１ｈ…流体排出口接続部の端面の凹部
７１ｔ…流体排出口接続部の端面
７２…内視鏡接続部
７２ｒ…内視鏡接続部の内部
７３…細断部
７３ｉ…細断部内の流路
７７…Ｏリング
８２…細断部材
１００…内視鏡洗浄消毒装置
１０２…装置本体
１０３…トップカバー
１０４…洗浄消毒槽
１０４ｄ…洗浄消毒槽のリブ
１０４ｔ…洗浄消毒槽の底面
１０５…水道栓
１０６…洗浄ケース
１０９…給水管路
１１０…三方電磁弁
１１１ａ…洗剤タンク
１１１ｂ…アルコールタンク
１１１ｃ…クリーナタンク
１１５…給水電磁弁
１１６…逆止弁
１１７…給水フィルタ
１１８…流液管路
１１９…流液ポンプ
１２０…循環管路
１２１…チャンネル管路
１２２…洗剤ノズル
１２３…消毒液ノズル
１２４…給水循環ノズル
１２６…チャンネルポンプ
１２７…チャンネルブロック
１２８…チャンネル電磁弁
１３０…ケース用管路
１３１…給水ホース接続口
１３１ａ…チューブ
１３３…送気送水／鉗子口用ポート
１３３ａ〜１３３ｄ…ポート
１３６…リリーフ弁
１３９…洗浄剤管路
１４０…洗剤用ポンプ
１４１…アルコール管路
１４２…アルコール供給ポンプ
１４３…電磁弁
１４４…エア管路
１４５…エアポンプ
１４６…エアフィルタ
１４７…逆止弁
１５２…超音波振動子
１５３…ヒータ
１５３ａ…温度検知センサ
１５５…流体排出口
１５６…循環口
１５８…薬液タンク
１５９…排液管路
１５９ｃ…排液管路の      エア供給コネクタ
１５９ｆ…排液管路の      フランジ
１５９ｇ…排液管路の      外周面
１５９ｈ…排液管路の凹部
１５９ｈｔ…排液管路の凹部の底面
１５９ｐ…排液管路の孔
１５９ｖ…エア供給管路
１６０…排水ポンプ
１６１…薬液回収管路
１６２…薬液供給管路
１６３…吸引フィルタ
１６４…薬液管路
１６５…薬液ポンプ
１７０…制御部
１７１…電源
１９１…逆止弁
１９２…クリーナポンプ
１９３…クリーナ供給管路
２００…内視鏡洗浄消毒装置用薬液ボトル
Ａ…エア
Ｂ…汚物
Ｈ…嵌入部材の一方の開口と他方の開口とを結ぶ方向
Ｒ…流体
Ｓ…挿入方向
【図１】
2015054212.tif 000003
【図２】
2015054212.tif 000004
【図３】
2015054212.tif 000005
【図４】
2015054212.tif 000006
【図５】
2015054212.tif 000007
【図６】
2015054212.tif 000008
【図７】
2015054212.tif 000009
【図８】
2015054212.tif 000010
【図９】
2015054212.tif 000011
【図１０】
2015054212.tif 000012
【図１１】
2015054212.tif 000013
【図１２】
2015054212.tif 000014
【図１３】
2015054212.tif 000015
【図１４】
2015054212.tif 000016
【図１５】
2015054212.tif 000017